(57)【要約】【目的】様々なサイズの携帯型電子機器を、安定して収容可能な携帯型電子機器用防水ケースを提供すること。【構成】請求項１に記載の発明は、箱状のケース本体と、ケース本体を水密に密閉可能な蓋体と、ケース本体に装備される板体であって、両側辺に複数の溝部を設けると共に、両側辺に案内溝を設け、更に突起部を備えた板体と、該板体に対して摺動自在、且つ、揺動自在な押圧部材であって、案内溝内を摺動自在な揺動軸を備えると共に、溝部に嵌合可能な突起片を備える一対の棒体と、棒体の端部に棒体の長手方向に対して略直角方向に延設される押圧板材とにより成る押圧部材とにより構成した。請求項２に記載の発明は、請求項１記載の防水ケースにおいて、押圧部材を構成する押圧板体に対して着脱自在な蓋体を設け、該蓋体と押圧板体との間に薄板を装備せしめて構成した。【選択図】        図１
2020060705.tif 000002
【特許請求の範囲】
【請求項１】
箱状のケース本体（２）と、ケース本体（２）を水密に密閉可能な蓋体（３）とを備えた防水ケース（１）において、
ケース本体（２）に装備される板体（１００）であって、両側辺に複数の溝部（１０２）を設けると共に、両側辺に案内溝（１０１）を設け、更に突起部（１０３）を備えた板体（１００）と、
該板体（１００）に対して摺動自在、且つ、揺動自在な押圧部材（２００）であって、案内溝（１０１）内を摺動自在な揺動軸（２０３）を備えると共に、溝部（１０２）に嵌合可能な突起片（２０２）備える一対の棒体（２０１，２０１）と、棒体（２０１）の端部に棒体（２０１）の長手方向に対して略直角方向に延設される押圧板体（２０４）とにより成る押圧部材（２００）と、
により成る防水ケース。
【請求項２】
押圧部材（２００）を構成する押圧板体（２０４）に対して着脱自在な蓋体（２０５）を設け、該蓋体（２０５）と押圧板体（２０４）との間に薄板（２０６）を装備せしめた請求項１に記載の防水ケース。
【請求項３】
板体（１００）を構成する突起部（１０３）を、内部が空洞の略直方体状に構成すると共に、突起部（１０３）の天面に開口部（１０４）を設け、突起部（１０３）の押圧板体（２０４）と対向する面に開口部（１０５）を設けたこと、
下方に向かって幅が狭くなる脚部（３０１）が下方に延設された押し出し片（３００）を、開口部（１０４）に出没自在に装備せしめたこと、
下方に向かって幅が広くなる斜面（４０１）を備えた押圧片（４００）を、開口部（１０５）に出没自在に装備せしめたこと、
を特徴とする請求項１又は請求項２に記載の防水ケース。
【請求項４】
板体（１００）の端部に、突起部（１０３）の長手方向に延設される枠材（１０６）を設け、該枠材（１０３）の両端をそれぞれ略直角方向に屈曲させ、該屈曲部（１０７）に突起部（１０８）を設けた、請求項１乃至請求項３いずれかに記載の防水ケース。
【発明の詳細な説明】
【技術分野】
【０００１】
本発明は水中でスマートフォン等の携帯型電子機器を操作可能とするための防水ケースに関し、より詳しくは電子機器のサイズにかかわりなく、容易かつ確実に各種携帯型電子機器を収容可能な防水ケースに関する。
【背景技術】
【０００２】
スマートホン、タブレット、デジタルカメラ等の携帯型電子機器を水中で操作しやすいよう、現在の携帯型電子機器にはそれぞれに適合した防水ケースが存在している。これにより、例えばデジタルカメラ、スマートフォン、タブレット等のデジタル装置が水中でも操作可能となる。
【０００３】
特許文献１には、防水ケースのどの位置でもタッチパネルを操作して、デジタル製品を操作可能とすることが可能な防水ケースが開示されている。
【先行技術文献】
【特許文献】
【０００４】
【特許文献１】登録実用新案公報第３２１１２８７号公報
【発明の開示】
【発明が解決しようとする課題】
【０００５】
従来の防水ケースは特定機種に適合した収容機構を備えており、異なったサイズの機種を収容することが困難な場合が多かった。
【０００６】
そこで本発明は、様々なサイズの携帯型電子機器を、安定して収容可能な携帯型電子機器用防水ケースを提供することを目的とする。
【課題を解決するための手段】
【０００７】
上記の目的を達成する本発明の構成は以下の通りである。
【０００８】
（１) 請求項１に記載の発明は、箱状のケース本体と、ケース本体を水密に密閉可能な蓋体と、ケース本体に装備される板体であって、両側辺に複数の溝部を設けると共に、両側辺に案内溝を設け、更に突起部を備えた板体と、該板体に対して摺動自在、且つ、揺動自在な押圧部材であって、案内溝内を摺動自在な揺動軸を備えると共に、溝部に嵌合可能な突起片を備える一対の棒体と、棒体の端部に棒体の長手方向に対して略直角方向に延設される押圧板材とにより成る押圧部材とにより構成した。
【０００９】
（２）請求項２に記載の発明は、請求項１記載の防水ケースにおいて、押圧部材を構成する押圧板体に対して着脱自在な蓋体を設け、該蓋体と押圧板体との間に薄板を装備せしめて構成した。
【００１０】
（３）請求項３に記載の発明は、請求項１又は請求項２に記載の防水ケースにおいて、板体を構成する突起部を、内部が空洞の略直方体状に構成すると共に、突起部の天面に開口部を設け、突起部の押圧板体と対向する面に開口部を設け、下方に向かって幅が狭くなる脚部が下方に延設された押し出し片を、上記天面に設けた開口部に出没自在に装備せしめ、下方に向かって幅が広くなる斜面を備えた押圧片を、上記押圧板体と対向する開口部に出没自在に装備せしめて構成した。
【００１１】
（４）請求項４に記載の発明は、請求項１乃至請求項３いずれかに記載の防水ケースにおいて、板体の端部に、突起部の長手方向に延設される枠材を設け、該枠材の両端をそれぞれ略直角方向に屈曲させ、該屈曲部に突起部を設けて構成した。
【発明の効果】
【００１２】
上記のように構成される本発明が、如何に作用して課題を解決するかを図面を参照しながら概説する。なお、各図におけるＵとは上方を、Ｄは下方を、Ｒは右方向を、Ｌは左方向を意味するものである。
【００１３】
図１は本発明に係る防水ケース１の斜視図であり、図２は防水ケース１内に携帯型電子機器４を収容した状態を示す説明図である。
【００１４】
本発明においては、板体１００上に携帯型電子機器４を置き、突起部１０３と押圧部材２００とで挟持することで、携帯型電子機器４を安定して収容するものである。この際、押圧部材２００が板材１００上を移動することで、携帯型電子機器４のサイズにかかわらず当該携帯型電子機器４を安定して収容することが可能となるものである。
【００１５】
すなわち、図４７乃至図４９に示すように押圧部材２００を上方に揺動させ、案内溝１０１に沿って右方向に移動させ、次いで押圧部材２００を下方に揺動させることで、収容対象の携帯型電子機器の幅に応じた幅に設定することが可能となるのである。
【００１６】
なお、図４７に示す状態では、図８や図１３に示される押圧部材２００の揺動軸２０３が、図６や図７に示される板体１００の案内溝１０１内に回動自在、且つ、摺動自在に挿入されている。それゆえ、押圧部材２００は板体１００に対して揺動自在となるものである。
【００１７】
また、押圧部材２００の突起片２０２は、板体１００の溝部１０２に嵌合されている。それゆえ、押圧部材２００は、左右方向にずれない状態で固定される。
【００１８】
かかる固定された状態から図４８に示されるように押圧部材２００を揺動させると、突起片２０２の溝部１０２への嵌合状態が解放される。すると揺動軸２０３は案内溝１０１内を摺動可能となり、図４９に示すように押圧部材２００を右方向に移動させることが可能となる。そして、押圧部材２００を下方に揺動させ、突起片２０２を溝部１０２に嵌合させると、押圧部材２００は左右方向にずれない状態で固定されるものである。
【００１９】
この際、図７に示される溝部１０２の幅Ｈ１を２ｍｍに形成すれば、突起片２０２を嵌合する溝部１０２を一個ずらす毎に、図４９に示される携帯型電子機器が装備される空間の幅Ｈ３を２ｍｍ変更することが可能となる。つまり、２ｍｍ単位で携帯型電子機器のサイズに対応可能となるのである。
【００２０】
請求項２に記載の発明では、図１７乃至図１９に示すように、押圧部材２００を構成する押圧板材２０４に対して着脱自在な蓋体２０５を設け、該蓋体２０５と押圧板体２０４との間に薄板２０６を装備せしめて構成してある。かように薄板２０６を介在させることで、携帯型電子機器の幅により正確に対応して、当該携帯型電子機器を防水ケース１内に収容することが可能となる。  
【００２１】
すなわち、図２７に示される薄板２０６の幅Ｈ２を仮に１ｍｍとすると、蓋体２０５と押圧板体２０４との間に薄板２０６を一枚装備すれば、図４９に示される携帯型電子機器が装備される空間の幅Ｈ３が１ｍｍ狭くなる。かかる構成と、上述の溝部１０２の幅Ｈ１を２ｍｍに形成することを併用すれば、携帯型電子機器の幅に対して１ｍｍ毎に対応することが可能となり、より安定して携帯型電子機器を固定することが可能となるのである。
【００２２】
請求項３に記載の発明では、図３８や図３９乃至図４１に示すように、板体１００を構成する突起部１０３を、内部が空洞の略直方体状に構成すると共に、突起部１０３の天面に開口部１０４を設け、突起部１０３の押圧板体２０４と対向する面に開口部１０５を設けてある。そして、図４３や図４４に示すように下方に向かって幅が狭くなる脚部３０１が下方に延設された押し出し片３００を、上記天面に設けた開口部１０４に出没自在に装備せしめ、下方に向かって幅が広くなる斜面４０１を備えた押圧片４００を、押圧部材２００を構成する押圧板体２０４と対向する開口部１０５に出没自在に装備せしめて構成してある。
【００２３】
かかる構成とすることで、図４５や図４６に示すように、押し出し片３００を下方に押し込めば、下方に向かって幅が狭くなる脚部３０１が、下方に向かって幅が広くなる斜面４０１を右方向に押し出し、つまりは、押圧片４００が左方に押し出され、板体１００上に置かれた携帯型電子機器を押圧することになる。かかる作用により、より安定して携帯型電子機器を収容することが可能となるのである。更には、蓋体３を閉じる操作に伴い、蓋体３が押し出し片３００の上部を押し込むよう構成すれば、より簡単・確実に携帯型電子機器を固定することが可能となるものである。なお、図４５及び図４６においては、後述の柱状体１０９は省略して作図してある。
【００２４】
請求項４に記載の発明では、板体１００の端部に、突起部１０３の長手方向に延設される枠材１０６を設け、該枠材１０６の両端をそれぞれ略直角方向に屈曲させ、該屈曲部１０７に突起部１０８を設けて構成した。図２に示すように、この突起部１０８が携帯型電子機器４の上下の端面を支持することで、携帯型電子機器４を安定して収容することが可能となるのである。
【図面の簡単な説明】
【００２５】
【図１】本発明に係る防水ケースの斜視図
【図２】携帯型電子機器を収容した状態を示す斜視図
【図３】ケース本体と蓋体を示す斜視図
【図４】ケース本体の斜視図
【図５】請求項１記載の板体の正面図
【図６】請求項１記載の板体の底面図
【図７】請求項１記載の板体の斜視図
【図８】請求項１記載の押圧部材の正面図
【図９】請求項１記載の押圧部材の背面図
【図１０】請求項１記載の押圧部材の平面図
【図１１】請求項１記載の押圧部材の底面図
【図１２】請求項１記載の押圧部材の右側面図
【図１３】請求項１記載の押圧部材の斜視図
【図１４】請求項２記載の押圧部材の正面図
【図１５】請求項２記載の押圧部材の背面図
【図１６】請求項２記載の押圧部材の平面図
【図１７】請求項２記載の押圧部材の底面図
【図１８】請求項２記載の押圧部材の右側面図
【図１９】請求項２記載の押圧部材の斜視図
【図２０】蓋体の正面図
【図２１】蓋体の背面図
【図２２】蓋体の平面図
【図２３】蓋体の底面図
【図２４】蓋体の右側面図
【図２５】蓋体の正面・右側面・平面側からの斜視図
【図２６】蓋体の背面・右側面・平面側からの斜視図
【図２７】薄板の斜視図
【図２８】蓋体、薄板を押圧部材に取り付け過程を示す説明図
【図２９】押し出し片の正面図
【図３０】押し出し片の左側面図
【図３１】押し出し片の背面・左側面・平面方向からの斜視図
【図３２】押し出し片の正面・右側面・平面方向からの斜視図
【図３３】押圧片の正面図
【図３４】押圧片の背面図
【図３５】押圧片の平面図
【図３６】押圧片の右側面図
【図３７】押圧片の斜視図
【図３８】請求項３記載の板体の正面図
【図３９】請求項３記載の板体の底面図
【図４０】請求項３記載の板体の右側面図
【図４１】請求項３記載の板体の正面・左側面・底面側からの斜視図
【図４２】請求項３記載の板体の正面・右側面・平面側からの斜視図
【図４３】請求項３記載の発明の説明図
【図４４】請求項３記載の発明の説明図
【図４５】請求項３記載の発明の一部破断説明図
【図４６】請求項３記載の発明の一部破断説明図
【図４７】押圧部材の移動する状態を示す説明図
【図４８】押圧部材の移動する状態を示す説明図
【図４９】押圧部材の移動する状態を示す説明図
【図５０】請求項４に記載の発明の一部説明斜視図
【発明を実施するための形態】
【００２６】
本発明に係る防水ケース１は、図１に示すように箱状のケース本体２と、ケース本体２を水密に密閉可能な蓋体３と、ケース本体に装備される板体１００と該板体１００に対して摺動自在、且つ、揺動自在な押圧部材２００とを主な構成要素とする。
【００２７】
ケース本体２は、図３に示すように内部が空洞の樹脂製の箱体である。蓋体３は樹脂で形成されており、その形状は板体でも、内部が空洞の箱体でも構わない。
【００２８】
ケース本体２と蓋体３とは、図３に示されるケース本体２の端部に設けられてヒンジ部５を介して開閉自在に設けられており、蓋体３のケース本体２に対向する側に設けられている枠体状の突起部３ａには、シール材としてゴム又はプラスチック製のＯリング６が巻回され、水密な構造となっている。
【００２９】
請求項１記載の発明における板体１００は、図５乃至図７に示すように直方体状の樹脂製板材であり、図６に示すように左端上部には直方体状の突起部１０３が設けてある。また、板材１００の両側辺には、それぞれ長手方向に伸びる案内溝１０１，１０１が設けてある（板体の平面図は図６と対称に表れる）。更には板体１００の両側辺には、それぞれ溝部１０２・・が複数設けられている。溝部１０２は図６に示すように、板体１００の上端から下方に穿設されるものであり、図５に示されるように、正面側にも表れるものである。かかる構造とすることで、後述の押圧部材２００のと突起片２０２が嵌合可能となるものである。
【００３０】
請求項１記載の発明における押圧部材２００は、図８乃至図１３に示すように、樹脂製の一対の棒体２０１，２０１と、棒体２０１の端部に棒体２０１の長手方向に対して略直角方向に延設される樹脂製の押圧板体２０４とにより成る。棒体２０１には円柱状の揺動軸２０３と、一対の直方体の突起片２０２，２０２が設けてある。この突起片２０２，２０２は、板体１００の側辺に設けられた隣接する溝部１０２，１０２にそれぞれ嵌合可能なものである。
【００３１】
請求項２記載の発明における押圧部材２００は、図１４乃至図１９に示すように、押圧板体２０４に対して着脱自在な蓋体２０５を設け、該蓋体２０５と押圧板体２０４との間に薄板２０６を装備せしめて構成してある。
【００３２】
蓋体２０５は図２０乃至図２７に示すように、薄い板材であり、その下端には爪２０７が二個設けてある。この爪２０７は押圧板体２０４の下端面に引掛かるものである。
【００３３】
蓋体２０５の上端は図２４に示すように直角方向に僅かに屈曲して形成してある。また、蓋体２０５の側壁２０８には、図２６に示すように先端に掛着部２０９ａを備えた係止部材２０９が設けてある。係止部材２０９は棒状体であり、その先端に鉤状の掛着部２０９ａが形成されるものである。図２８に示すように、係止部材２０９は薄板２０６の凹部２０６ａに嵌まり込むことで、薄板２０６を支持するものである。掛着部２０９ａは、図２８に示される押圧板体２０４に設けた孔部２０４ａに掛着されることで、蓋体２０５を支持するものである。
【００３４】
薄板２０６は図２７に示すように、薄い板体であり、上端から下方に伸びる凹部２０６ａが設けられている。
【００３５】
請求項３記載の発明では、図３８乃至図４２に示すように、板体１００を構成する突起部１０３を、内部が空洞の略直方体状に構成すると共に、突起部１０３の天面に開口部１０４を設け、突起部１０３の押圧板体２０４と対向する面に開口部１０５を設けて形成してある。
【００３６】
上記天面に設けた開口部１０４には、図２９乃至図３２に示される押し出し片３００が出没自在に装備される。この押し出し片３００は板材３０２から下方に向かって二本の脚部３０１，３０１が延設されるものである。脚部３０１は図３０に示すように、下部に斜面３０１ａを設けることで、下方に向かって幅狭になるよう形成されている。
【００３７】
上記突起部１０３の押圧板体２０４と対向する面に設けた開口部１０５には、図３３乃至図３７に示される押圧片４００が出没自在に装備される。この押圧片４００は、脚部３０１，３０１間に緩挿される板状部４０２、脚部３０１に当接する斜面４０１、脚部３０１と突起部１０３の側壁１０３ａとの間に緩挿される板状部４０３を備えるものである。更には、図３８や図４１に示される、突起部１０３に隣接して設けられる柱状体１０９と突起部１０３の側壁１０３ａとの間に緩挿される板状部４０４を備えるものである。
【００３８】
図５０は請求項４に記載の発明における板体１００を示すものである。板体１００の端部に、突起部１０３の長手方向に延設される枠材１０６を設け、該枠材１０６の両端をそれぞれ略直角方向に屈曲させ、該屈曲部１０７に突起部１０８を設けて構成してある。
【符号の説明】
【００３９】
１・・防水ケース
２・・ケース本体
３・・蓋体
５・・ヒンジ部
１００・・板体
１０１・・案内溝
１０２・・溝部
１０３・・突起部
１０４・・開口部
１０５・・開口部
１０６・・枠材
１０７・・屈曲部
１０８・・突起部
１０９・・柱状体
２００・・押圧部材
２０１・・棒体
２０２・・突起片
２０３・・揺動軸
２０４・・押圧板体
２０５・・蓋体
２０６・・薄板
２０７・・爪
２０８・・側壁
２０９・・係止部材
３００・・押し出し片
３０１・・脚部
３０２・・板材
４００・・押圧片
４０１・・斜面
【図１】
2020060705.tif 000003
【図２】
2020060705.tif 000004
【図３】
2020060705.tif 000005
【図４】
2020060705.tif 000006
【図５】
2020060705.tif 000007
【図６】
2020060705.tif 000008
【図７】
2020060705.tif 000009
【図８】
2020060705.tif 000010
【図９】
2020060705.tif 000011
【図１０】
2020060705.tif 000012
【図１１】
2020060705.tif 000013
【図１２】
2020060705.tif 000014
【図１３】
2020060705.tif 000015
【図１４】
2020060705.tif 000016
【図１５】
2020060705.tif 000017
【図１６】
2020060705.tif 000018
【図１７】
2020060705.tif 000019
【図１８】
2020060705.tif 000020
【図１９】
2020060705.tif 000021
【図２０】
2020060705.tif 000022
【図２１】
2020060705.tif 000023
【図２２】
2020060705.tif 000024
【図２３】
2020060705.tif 000025
【図２４】
2020060705.tif 000026
【図２５】
2020060705.tif 000027
【図２６】
2020060705.tif 000028
【図２７】
2020060705.tif 000029
【図２８】
2020060705.tif 000030
【図２９】
2020060705.tif 000031
【図３０】
2020060705.tif 000032
【図３１】
2020060705.tif 000033
【図３２】
2020060705.tif 000034
【図３３】
2020060705.tif 000035
【図３４】
2020060705.tif 000036
【図３５】
2020060705.tif 000037
【図３６】
2020060705.tif 000038
【図３７】
2020060705.tif 000039
【図３８】
2020060705.tif 000040
【図３９】
2020060705.tif 000041
【図４０】
2020060705.tif 000042
【図４１】
2020060705.tif 000043
【図４２】
2020060705.tif 000044
【図４３】
2020060705.tif 000045
【図４４】
2020060705.tif 000046
【図４５】
2020060705.tif 000047
【図４６】
2020060705.tif 000048
【図４７】
2020060705.tif 000049
【図４８】
2020060705.tif 000050
【図４９】
2020060705.tif 000051
【図５０】
2020060705.tif 000052